(57)【特許請求の範囲】
【請求項１】
絶縁体からなる基板の一方の面に導電性を有する一方の電極板が積層され、他方の面に導電性を有するとともに、磁石によって吸着される性質を有する他方の電極板が積層され、複数箇所に前記他方の電極板及び前記基板を貫通する取付け穴が設けられ、前記両電極板が電源に電気的に接続される取付け板と、
前記取付け板の他方の電極板側に設けられ、電気器具が取り付けられる電気器具取付け部と、該電気器具取付け部に一体に設けられるとともに、前記取付け穴内に挿脱可能な１つ又は２つ以上のピン部と、前記電気器具取付け部に設けられ、該電気器具取付け部を前記他方の電極板に磁力により吸着させるための磁石と、前記ピン部の先端に設けられるとともに、該ピン部が前記取付け穴内に挿入された状態で前記一方の電極板の裏面に接触することにより当該一方の電極板に電気的に接続される第１給電部と、前記電気器具取付け部に設けられるとともに、前記ピン部が前記取付け穴に挿入された状態で前記他方の電極板に電気的に接続される第２給電部とからなるコネクタとを備え、
前記両給電部に前記電気器具が電気的に接続されることを特徴とする電気器具取付け装置。
【請求項２】
絶縁体からなる基板の一方の面に導電性を有する一方の電極板が積層され、他方の面に導電性を有するとともに、磁石によって吸着される性質を有する他方の電極板が積層され、複数箇所に前記他方の電極板及び前記基板を貫通する取付け穴が設けられ、前記両電極板が電源に電気的に接続される取付け板と、
前記取付け板の他方の電極板側に設けられ、電気器具が取り付けられる電気器具取付け部と、該電気器具取付け部に一体に設けられるとともに、前記取付け穴内に挿脱可能な１つ又は２つ以上のピン部と、前記電気器具取付け部に設けられ、該電気器具取付け部を前記他方の電極板に磁力により吸着させるための磁石と、前記ピン部の先端に設けられるとともに、該ピン部が前記取付け穴内に挿入された状態で前記一方の電極板に電気的に接続される第１給電部と、前記電気器具取付け部に設けられるとともに、前記ピン部が前記取付け穴に挿入された状態で前記他方の電極板に電気的に接続される第２給電部とからなるコネクタとを備え、
前記第１給電部は、前記ピン部の先端部に設けられた溝内に付勢部材を介して設けられ、該付勢部材の付勢力によって前記第１給電部が前記一方の電極板に圧接され、
前記両給電部に前記電気器具が電気的に接続されることを特徴とする電気器具取付け装置。
【請求項３】
前記磁石は、前記電気器具取付け部の前記他方の電極板との対向面に設けられた溝内に設けられ、該磁石の磁力によって前記電気器具取付け部の一部が前記他方の電極板に吸着されることを特徴とする請求項１又は２に記載の電気器具取付け装置。
【請求項４】
前記第２給電部は、前記電気器具取付け部の前記ピン部の周囲の前記他方の電極板との対向面に設けられた溝内に設けられていることを特徴とする請求項１から３の何れかに記載の電気器具取付け装置。
【請求項５】
前記取付け板は、空間内の天井部、壁部、又は床部に設けられていることを特徴とする請求項１から４の何れかに記載の電気器具取付け装置。
【発明の詳細な説明】
【技術分野】
【０００１】
本発明は、電気器具取付け装置に関し、特に、空間（建物、自動車等の空間）内の天井部、壁部、床部等に照明器具等の電気器具を着脱自在に取り付けるのに有効な電気器具取付け装置に関する。
【背景技術】
【０００２】
一般に、建物の例えば天井部に照明器具を取り付ける場合には、予め、天井部のパネルの所定の位置に配線用孔を設け、この配線用孔から天井裏に敷設されている電線を引き出し、この引き出した電線に照明器具を電気的に接続することで、照明器具を取り付けている。
【０００３】
このような照明器具は、建物内のレイアウトの変更等によって他の位置に移動させる場合に、新たにパネルに配線用孔を設け、この配線用孔から天井裏に敷設されている電線を引き出し、この引き出した電線に取り外した照明器具を電気的に接続している。
【０００４】
このため、パネルに新たに配線用孔を設ける作業や、新たに設けた配線用孔から天井裏の電線を引き出す作業等の作業が必要になり、それらの作業に非常に手間かかかることになる。また、照明器具を取り外した後のパネルに配線用孔が残って美観を損なうことになるため、元の配線用孔を塞ぐ作業も必要になり、その作業にも手間がかかることになる。
【０００５】
一方、特許文献１には、基板の両面に印刷又はエッチングによりプリント配線して電路を形成し、電路の適宜な箇所にコネクタピンを挿入するピン挿入孔を形成し、このピン挿入孔内にコネクタピンを電気的に接続するように構成した発明が開示されており、このような技術を照明器具の天井部等への着脱に適用することも考えられる。
【特許文献１】実開昭５６−８６７７３号公報
【発明の開示】
【発明が解決しようとする課題】
【０００６】
しかし、特許文献１に開示されている技術では、コネクタピンを電路に電気的に接続する際にハンダ付け作業が必要になるとともに、照明器具を天井部等に支持するための機構が必要になるため、この技術をそのまま天井部等への照明器具の着脱に適用することはできない。
【０００７】
本発明は、上記のような従来の問題に鑑みなされたものであって、照明器具等の電気器具の着脱を容易に行うことができるとともに、照明器具等の電気器具を他の位置に移動させても美観を損なうようなことがない、電気器具取付け装置を提供することを目的とする。
【課題を解決するための手段】
【０００８】
上記のような課題を解決するために、本発明は、以下のような手段を採用している。
すなわち、請求項１に係る発明は、絶縁体からなる基板の一方の面に導電性を有する一方の電極板が積層され、他方の面に導電性を有するとともに、磁石によって吸着される性質を有する他方の電極板が積層され、複数箇所に前記他方の電極板及び前記基板を貫通する取付け穴が設けられ、前記両電極板が電源に電気的に接続される取付け板と、前記取付け板の他方の電極板側に設けられ、電気器具が取り付けられる電気器具取付け部と、該電気器具取付け部に一体に設けられるとともに、前記取付け穴内に挿脱可能な１つ又は２つ以上のピン部と、前記電気器具取付け部に設けられ、該電気器具取付け部を前記他方の電極板に磁力により吸着させるための磁石と、前記ピン部の先端に設けられるとともに、該ピン部が前記取付け穴内に挿入された状態で前記一方の電極板の裏面に接触することにより当該前記一方の電極板に電気的に接続される第１給電部と、前記電気器具取付け部に設けられるとともに、前記ピン部が前記取付け穴に挿入された状態で前記他方の電極板に電気的に接続される第２給電部とからなるコネクタとを備え、前記両給電部に前記電気器具が電気的に接続されることを特徴とする。
【０００９】
本発明による電気器具取付け装置によれば、取付け板の取付け穴内にコネクタのピン部を挿入することにより、電気器具取付け部が磁石の磁力によって他方の電極板に吸着され、ピン部が取付け穴内に挿入された状態に固定され、ピン部に設けられた第１給電部が一方の電極板に電気的に接続され、電気器具取付け部に設けられた第２給電部が他方の電極板に電気的に接続される。
そして、電気器具取付け部に取り付けられる電気器具を両給電部に電気的に接続することにより、電源から両電極板及び両給電部を介して電気器具に電力が供給され、電気器具が作動することになる。
この場合、コネクタのピン部を取付け板の取付け穴内に挿入し、電気器具取付け部を磁石の磁力によって他方の電極板に吸着させることで、ピン部を取付け穴内に挿入した状態に固定することができ、電気器具をコネクタを介して取付け板に取り付けることができるので、電気器具の取付け作業を容易にすることができる。
また、電気器具を他の位置に移動させる場合には、電気器具取付け部を磁石の磁力に抗して他方の電極板から引き離し、ピン部を取付け穴から離脱させることでコネクタを取付け板から取り外し、この取り外したコネクタを取付け板の他の位置に移動させて、その位置でコネクタのピン部を取付け穴内に挿入し、電気器具取付け部を磁石の磁力によって他方の電極板に吸着させればよいので、電気器具の移動を容易に行うことができる。
さらに、電気器具を他の位置に移動させても、電気器具を取り除いた後の取付け穴が美観を損なうようなこともない。
さらに、第１給電部と第２給電部との間に例えば直流の電源を供給する場合に、極性を間違えることなく各ピン部を取付け穴内に挿入することができる。
【００１０】
請求項２に係る発明は、絶縁体からなる基板の一方の面に導電性を有する一方の電極板が積層され、他方の面に導電性を有するとともに、磁石によって吸着される性質を有する他方の電極板が積層され、複数箇所に前記他方の電極板及び前記基板を貫通する取付け穴が設けられ、前記両電極板が電源に電気的に接続される取付け板と、前記取付け板の他方の電極板側に設けられ、電気器具が取り付けられる電気器具取付け部と、該電気器具取付け部に一体に設けられるとともに、前記取付け穴内に挿脱可能な１つ又は２つ以上のピン部と、前記電気器具取付け部に設けられ、該電気器具取付け部を前記他方の電極板に磁力により吸着させるための磁石と、前記ピン部の先端に設けられるとともに、該ピン部が前記取付け穴内に挿入された状態で前記一方の電極板に電気的に接続される第１給電部と、前記電気器具取付け部に設けられるとともに、前記ピン部が前記取付け穴に挿入された状態で前記他方の電極板に電気的に接続される第２給電部とからなるコネクタとを備え、前記第１給電部は、前記ピン部の先端部に設けられた溝内に付勢部材を介して設けられ、該付勢部材の付勢力によって前記第１給電部が前記一方の電極板に圧接され、前記両給電部に前記電気器具が電気的に接続されることを特徴とする。
本発明による電気器具取り付け装置によれば、ピン部の先端部の溝内に付勢部材を介して設けられた第１給電部が付勢部材の付勢力によって一方の電極板に圧接され、第１給電部が一方の電極板に電気的に接続されることになる。
請求項３に係る発明は、請求項１又は２に記載の電気器具取付け装置であって、前記磁石は、前記電気器具取付け部の前記他方の電極板との対向面に設けられた溝内に設けられ、該磁石の磁力によって前記電気器具取付け部の一部が前記他方の電極板に吸着されることを特徴とする請求項１に記載の電気器具取付け装置。
【００１１】
本発明による電気器具取付け装置によれば、電気器具取付け部の他方の電極板との対向面に設けられた溝内に設けられている磁石の磁力により、電気器具取付け部の一部が他方の電極板に吸着され、ピン部が取付け板の取付け穴内に挿入された状態に固定されることになる。
【００１４】
請求項４に係る発明は、請求項１から３の何れかに記載の電気器具取付け装置であって、前記第２給電部は、前記電気器具取付け部の前記ピン部の周囲の前記他方の電極板との対向面に設けられた溝内に設けられていることを特徴とする。
【００１５】
本発明による電気器具取付け装置によれば、電気器具取付け部のピン部の周囲の他方の電極板との対向面に設けられた溝内に設けられている第２給電部が他方の電極板に圧接され、第２給電部が他方の電極板に電気的に接続されることになる。
【００１６】
請求項５に係る発明は、請求項１から４の何れかに記載の電気器具取付け装置であって、前記取付け板は、空間内の天井部、壁部、又は床部に設けられていることを特徴とする。
【００１７】
本発明による電気器具取付け装置によれば、取付け板を空間内の天井部、壁部、又は床部に設けることにより、照明器具、火災センサ等の各種の電気器具を天井部、壁部、又は床部の取付け板に着脱させることが可能となる。
【発明の効果】
【００１８】
以上、説明したように、本発明の電気器具取付け装置によれば、取付け板の取付け穴内にコネクタのピン部を挿入し、磁石の磁力によって電気器具取付け部を他方の電極板に吸着させることにより、ピン部が取付け穴内に挿入された状態に固定され、コネクタが取付け板に固定され、コネクタを介して電気器具を取付け板に取り付けることができる。また、電気器具取付け部を磁石の磁力に抗して他方の電極板から引き離し、ピン部を取付け穴から離脱させることにより、コネクタを取付け板から取り外すことができ、コネクタに取り付けられる電気器具を取付け板から取り外すことができる。
従って、電気器具の取付け板への着脱を容易に行うことができるので、電気器具を取付け板の他の位置に移動する場合に、新たな配線用孔を設けたり、配線用孔から配線を引き出したりする作業が不要となる。さらに、電気器具を取り外した後に取付け穴が残っても、その取付け穴の存在によって美観を損なうようこともない。
また、コネクタを取付け板に取り付けた際に、ピン部の第１給電部が一方の電極板に電気的に接続され、電気器具取付け部の第２給電部が他方の電極板に電気的に接続されることになるので、第１給電部と一方の電極板との接触面積、及び第２給電部と他方の電極板との接触面積を大きくとることができる。
従って、電気器具の作動に必要な電流を確実に通電することができるので、大電流を必要とする電気器具にも十分な電流を確実に通電することが可能となり、各種の電気器具を使用することが可能となる。
【発明を実施するための最良の形態】
【００１９】
以下、図面を参照しながら本発明の実施の形態について説明する。
図１〜図３に示すように、本実施形態の電気器具の取り付け装置は、取付け板とコネクタとを含んで構成されており、図１は取付け板とコネクタとの関係を示す説明図、図２はコネクタを取付け板に取り付けた状態を示す断面図、図３はコネクタと吸着手段との関係を示す説明図である。
【００２０】
すなわち、この電気器具取付け装置１は、空間内（例えば、建物、自動車等の空間内、本実施の形態においては建物とする。）の天井部、壁部等に照明器具、火災センサ等の電気器具を着脱自在に取り付けるとともに、この電気器具に電力を供給するのに有効なものであって、図１及び図２に示すように、建物の天井部、壁部等（本実施の形態では天井部）に設けられる取付け板２と、取付け板２に着脱自在に取り付けられるコネクタ１０と、コネクタ１０を取付け板２に吸着させる吸着手段２５とを備えており、コネクタ１０に電気器具３５が取り付けられるようになっている。
【００２１】
取付け板２は、図１に示すように、合成樹脂等の絶縁性を有する材料からなる板状の基板３と、基板３の一方の面に一体に積層される銅等の導電性を有する材料からなる板状の一方の電極板４（第１電極板４）と、基板３の他方の面に一体に積層される導電性を有するとともに、磁石によって吸着される性質を有する材料からなる他方の電極板５（第２電極板５）とからなる積層板であって、基板３と第１電極板４及び第２電極板５とは接着剤等の接合手段によってそれぞれ一体に接合されている。
【００２２】
取付け板２には、第２電極板５及び基板３を貫通する取付け穴６が複数箇所に設けられ、各取付け穴６に第１電極板３の基板３との対向面が対応し、各取付け穴６内に後述するコネクタ１０のピン部１５（第１ピン部１５ａ、第２ピン部１５ｂ）が挿脱可能に構成されている。
【００２３】
取付け板２の第１電極板４及び第２電極板５は、配線７を介して個別に電源８に接続され、電源８から第１電極板４と第２電極板５との間に所定の直流あるいは交流の電圧が印加されるようになっている。
【００２４】
取付け板２は、天井部の全体に設けてもよいし、天井部の一部に設けてもよい。天井部の全体に設ける場合には、複数枚の取付け板２を組み合わせて天井部の全体を塞ぐようにしてもよい。その場合には、隣接する取付け板２の第１電極板４〜４間、第２電極板５〜５間を電気的に接合するか、あるいは各取付け板２の第１電極板４及び第２電極板５をそれぞれ個別に配線７を介して電源８に接続すればよい。
【００２５】
コネクタ１０は、図１〜図３に示すように、照明器具等の電気器具３５が取り付けられる電気器具取付け部１１と、電気器具取付け部１１の上面に一体に立設された複数（本実施の形態では２つ）のピン部１５（第１ピン部１５ａ、第２ピン部１５ｂ）とを備えている。
【００２６】
電気器具取付け部１１は、合成樹脂等の絶縁性を有する材料から形成される例えば円板状をなすものであって、第１ピン部１５ａ及び第２ピン部１５ｂが取付け板２の各取付け穴６内に挿入された状態で取付け板２に取り付けられ、この電気器具取付け部１１の下部に照明器具等の電気器具３５がねじ等の取付け手段によって着脱自在に取り付けられるようになっている。
なお、電気器具取付け部１１は、円板状に限らず、他の形状に形成してもよい。要は、使用する電気器具３５の形状等に応じて適宜の形状に形成すればよい。
【００２７】
第１ピン部１５ａ及び第２ピン部１５ｂは、図１〜図３に示すように、合成樹脂等の絶縁性を有する材料から形成される円柱状をなすものであって、取付け板２の取付け穴６の内径よりも小径、かつ取付け穴６と略同一長さに形成されている。第１ピン部１５ａ及び第２ピン部１５ｂは、電気器具取付け部１１と一体に形成してもよいし、電気器具取付け部１１と別体に形成し、ねじ等の適宜な連結手段によって電気器具取付け部１１に一体に連結するように構成してもよい。
【００２８】
吸着手段２５は、電気器具取付け部１１の上面側の周縁部に設けられた環状の溝１１ａ内に一体に設けられる環状の磁石２７と、電気器具取付け部１１の上面側の周縁部の磁石２７の磁力線が及ぶ範囲内に一部が配置される鉄等の磁性体からなる吸着部材２６とからなり、磁石２７の磁力によって吸着部材２６を取付け板２の第２電極板５に吸着させることにより、電気器具取付け部１１が取付け板２に取り付けられる。
なお、溝１１ａは環状に限らず、他の形状であってもよい。要は、磁石２７を収納可能な形状であればよい。
【００２９】
吸着部材２６は、下端が閉塞された筒状をなすものであって、内側に電気器具取付け部１１を嵌合させた状態で上端部が半径方向内方に屈曲され、この屈曲された部分が電気器具取付け部１１の上面側の周縁部の磁石２７の磁力線が及ぶ範囲内に配置され、この屈曲された部分が第２電極板５の表面５ａに磁石２７の磁力によって吸着される吸着部２６ａに構成されている。
なお、吸着部材２６は、上記の形状に限らず、電気器具取り付け部１１を磁石２７の磁力によって第２電極板５の表面５ａに吸着させることができる形状であればよい。
【００３０】
第１ピン部１５ａの上端部には、取付け板２の第１電極４の基板との対向面（裏面４ａ）に接触可能な第１給電部１７ａが設けられている。
第１給電部１７ａは、銅等の導電性を有する材料からなる円板状をなすものであって、第１ピン部１５ａの上端面に設けられた円形状の溝２３内に付勢部材であるばね２４を介して装着され、第１ピン部１５ａを取付け板２の取付け穴６内に挿入した状態で、第１給電部１７ａがばね２４の付勢力によって第１電極板４の裏面４ａに圧接され、第１給電部１７ａが第１電極板４に電気的に接続される。第１給電部１７ａは、第１ピン部１５ａの内部に設けられている配線２０の一端に接続され、この配線２０の他端は電気器具取付け部１１の下部に設けられている端子１２に接続されている。
【００３１】
電気器具取付け部１１の上面の第２ピン部１５ｂの周囲には、第２ピン部１５ｂを包囲するように所定の幅、深さの溝１９が設けられ、この溝１９内に第２給電部１７ｂが設けられている。
なお、溝１９は環状に限らず、他の形状であってもよい。要は、第２給電部１７ｂを収納可能な形状であればよい。
第２給電部１７ｂは、銅等の導電性を有する材料からなる弾性を有する湾曲板状の弾性導電部材１８を複数組み合わせて構成したものであって、各弾性導電性部材１８は、第２ピン部１５ｂの周囲の溝１９内にそれぞれ嵌合されている。この場合、各弾性導電部材１８は、湾曲部分の頂部が電気器具取付け部１１の上面よりも上方に突出し、溝１９の内部方向へ弾性変形可能となるように構成されている。
【００３２】
第１ピン部１５ａ及び第２ピン部１５ｂをそれぞれ取付け穴６内に挿入し、吸着部材２６の吸着部２６ａを第２電極板５の表面５ａに吸着させて、第１ピン部１５ａ及び第２ピン部１５ｂを取付け穴６内に挿入した状態に固定することにより、第２給電部１７ｂの各弾性導電部材１８が第２電極板５の表面５ａに強く圧接され、第２給電部１７ｂの各弾性導電部材１８と第２電極板５とが電気的に接続される。
【００３３】
なお、第２給電部１７ｂは、上記の構成のものに限らず、第２電極板５の表面５ａに強く圧接されて、第２電極板５と電気的に確実に接続できる構成のものであればよく、例えば、圧縮ばねと導電部材とを組み合わせて、圧縮ばねの付勢力により導電部材を第２電極板５の表面５ａに圧接するようにしても良いし、電気器具取付け部１１の上面の第２ピン部１５ｂの周囲に、弾性を有していない円環板状の第２給電部１７ｂを一体に設け、この第２給電部１７ｂを第２電極板５の表面に圧接するようにしても良い。
【００３４】
第２給電部１７ｂには、電気器具取付け部１１に設けられている配線２０の一端が電気的に接続され、この配線２０の他端は電気器具取付け部１１の下部に設けられている端子１２に電気的に接続されている。
【００３５】
次に、上記のように構成した本実施の形態による電気器具取付け装置１の作用について説明する。
まず、照明器具等の電気器具３５を天井部に取り付けるには、図１に示すように、コネクタ１０を天井部に予め設けられている取付け板２の所定の位置の下方に配置し、その位置で取付け穴２内に第１ピン部１５ａ及び第２ピン部１５ｂを挿入し、吸着手段２５の磁石２７の磁力によって吸着部材２６の吸着部２６ａを第２電極板５に吸着させ、第１ピン部１５ａの上端の第１給電部１７ａを第１電極板４の裏面４ａに圧接させ、第２ピン部１５ｂの周囲の溝１９内の第２給電部１７ｂを第２電極板５の表面５ａに圧接させ、第１給電部１７ａと第１電極板４とを電気的に接続し、第２給電部１７ｂと第２電極板５とを電気的に接続する。
【００３６】
そして、電気器具取付け部１１の下部にねじ等の取付け手段によって照明器具等の電気器具３５を取り付け、電気器具３５の電源を電気器具取付け部１１の下部の端子１２に電気的に接続する。
【００３７】
このようにして、天井部の取付け板２に照明器具等の電気器具３５を取り付けることができ、電源８から取付け板２の第１電極板４と第２電極板５との間に電圧を印加することにより、両電極板４、５から両給電部１７ａ、１７ｂ、配線２０、及び端子１２を介して照明器具等の電気器具３５に電力が供給され、照明器具等の電気器具３５を作動させることができる。
【００３８】
次に、建物内のレイアウトの変更等によって電気器具３５を天井部の他の位置に移動させる場合には、コネクタ１０から電気器具３５を取り外し、この状態で吸着部材２６の吸着部２６ａを磁石２７の磁力に抗して第２電極板５から引き離し、第１ピン部１５ａ及び第２ピン部１５ｂを取付け穴６から離脱させることによりコネクタ１０を取付け板２から取り外す。その後は上述した取り付け手順によってコネクタ１０を取付け板２に取り付ける。
【００３９】
上記のように構成した本実施形態による電気器具取付け装置１にあっては、建物の天井部に設けた取付け板２の取付け穴６を利用してコネクタ１０を取付け板２に着脱させることにより、コネクタ１０を介して天井部の所定の位置に照明器具等の電気器具３５を着脱させることができるので、照明器具等の電気器具３５の天井部への着脱を容易に行うことができる。
【００４０】
また、天井部に取り付けた照明器具等の電気器具３５を他の位置に移動させる場合にも、他の位置の取付け穴６を利用してコネクタ１０を取付け板２に着脱させることにより、その位置にコネクタ１０を介して照明器具等の電気器具３５を着脱させることができることになる。
【００４１】
この場合、取付け板２の複数の取付け穴６によって意匠的な効果を醸し出しているので、照明器具等の電気器具３５を取り外した後の取付け穴６によって美観を損なうようなことはなく、また、取付け穴６を塞ぐ作業も不要となる。また、照明器具等の電気器具３５を移動させる位置に新たに配線用孔を設け、その配線用孔から天井裏の配線を引き出したりする作業も不要となるので、照明器具等の電気器具３５の移動に要する手間を大幅に削減することができる。
【００４２】
さらに、第１給電部１７ａと第１電極板４との接触面積、及び第２給電部１７ｂと第２電極板５との接触面積を大きくとることができるので、大電流を流すことが可能となり、大電流を必要とする電気器具にも十分に対応することができ、各種の電気器具に対応することが可能となる。
【００４３】
なお、前記の説明においては、電気器具取付け部１１の上面側の溝１１ａ内に磁石２７を設けたが、第１ピン部１５ａ及び第２ピン部１５ｂの上端部に磁石を設けるとともに、第１ピン部１５ａ及び第２ピン部１５ｂの第１電極板４との対向面に磁性を有する材料からなる吸着部材を設けて、磁石の磁力によって吸着部材を第１電極板４に吸着させるように構成してもよい。この場合には、第１電極板４を導電性を有するとともに、磁石によって吸着される性質を有する材料で形成すればよい。
【００４４】
また、前記の説明においては、電気器具３５として比較的重量のある照明器具等を例にとって説明したが、ＬＥＤを配置した照明器具のように軽量の照明器具等を電気器具としてもよいものであり、その場合には、電気器具を電気器具取付け部として、電気器具にピン部を一体に設けても良い。
【００４５】
さらに、前記の説明においては、電気器具取付け部１１に２つのピン部１５ａ、１５ｂを設けたが、電気器具取付け部１１に１つ又は３つ以上のピン部１５を設けてもよい。１つのピン部１５を設ける場合には、そのピン部１５の先端部に溝２３を設けて、その溝内に付勢部材２４を介して第１給電部１７ａを設けるとともに、そのピン部１５の周囲の電気器具取付け部１１の第２電極板５との対向面に溝１９を設けて、その溝１９内に第２給電部１７ｂを設ければよい。また、３つ以上のピン部１５を設ける場合には、何れか１つのピン部１５を前述した第１ピン部１５ａのように構成し、他の何れか１つのピン部１５を前述した第２ピン部１５ｂのように構成すればよい。
【００４６】
さらに、前記の説明においては、本実施の形態による電気器具取付け装置１を建物の天井部に適用した場合について説明したが、建物の壁部、床部等に照明器具や火災センサ等の電気器具を取り付ける場合に適用することもできる。
さらに、自動車等の天井部等に電気器具を取り付ける場合にも適用することができ、その他の各種の空間の天井部等に電気器具を取り付ける場合にも適用可能である。
さらに、例えば、各種の作業テーブルの天板などを上記実施形態の取付け板２の構成とし、電気器具を着脱可能な作業テーブルとしてもよい。
【図面の簡単な説明】
【００４７】
【図１】本発明による電気器具取付け装置の一実施の形態を示した説明図であって、取付け板とコネクタとの関係を示した説明図である。
【図２】コネクタを取付け板に取り付けた状態を示した断面図である。
【図３】コネクタと吸着手段との関係を示した説明図である。
【符号の説明】
【００４８】
１  電気器具取付け装置
２  取付け板                          ３  基板
４  第１電極板                        ４ａ  裏面
５  第２電極板                        ５ａ  表面
６  取付け穴                          ７  配線
８  電源                              １０  コネクタ
１１  電気器具取付け部                １１ａ  溝
１２  端子                            １５  ピン部
１５ａ  第１ピン部                    １５ｂ  第２ピン部
１７  給電部                          １７ａ  第１給電部
１７ｂ  第２給電部                    １８  弾性導電部材
１９  溝                              ２０  配線
２３  溝                              ２４  付勢部材（ばね）
２５  吸着手段                        ２６  吸着部材
２６ａ  吸着部                        ２７  磁石
３５  電気器具
【図１】
0005018377.tif 000002
【図２】
0005018377.tif 000003
【図３】
0005018377.tif 000004